【事件の表示】
　特願２０１４−１４０６６３号「端子金具、及び、端子金具付き電線」拒絶査定不服審判事件〔平成２８年　２月　１日出願公開、特開２０１６−　１８６７１号〕について、次のとおり審決する。
【結　論】
　本件審判の請求は、成り立たない。
【理　由】
１　手続の経緯
　本願は、平成２６年７月８日の出願であって、平成３０年３月９日付けで通知された拒絶の理由に対し、平成３０年４月２３日に意見書及び手続補正書が提出された後、平成３０年５月２４日付けで拒絶査定がされ（発送日：平成３０年５月２９日)、これに対し、平成３０年７月５日に本件拒絶査定不服審判が請求されると同時に手続補正書が提出され、平成３０年９月２７日に上申書が提出されたものである。
　
２　平成３０年７月５日の手続補正書による補正（以下「本件補正」という。）についての補正の却下の決定
［補正の却下の決定の結論］
　本件補正を却下する。
　
［理由］
（１）　本件補正後の本願の発明
　本件補正により、特許請求の範囲の請求項１は、
「一端に開口を有する筒状に形成され前記開口側から電線の導体の端末が挿入され圧着される導体圧着部を備え、
　前記導体圧着部は、当該導体圧着部の内外面を貫通する貫通丸孔部を有し、
　前記貫通丸孔部は、前記導体圧着部の周方向に沿って複数
で、かつ、前記電線の延在方向と直交する方向に対して互いに対向する部分にそれぞれ複数
　端子金具。」
と補正された（下線は補正箇所を示す。本件補正後の前記請求項１に係る発明を、以下、「本願補正発明」という。）。
　
（２）　本件補正の目的
　本件補正は、請求項１に係り、請求項１に記載した発明を特定するために必要な事項である「貫通丸孔部」について、それが「電線の延在方向と直交する方向に対して互いに対向する部分にそれぞれ複数」形成されるものであることの限定事項を付加したものであって、特許法第１７条の２第５項第２号の特許請求の範囲の減縮（限定的減縮）を目的とするものに該当するので、本願補正発明が特許出願の際独立して特許を受けることができるものであるか（特許法第１７条の２第６項において準用する同法第１２６条第７項の規定に適合するか）について以下に検討する。
　
（３）　引用例
ア　本願の出願前に日本国内又は外国において頒布され、原査定の拒絶の理由に引用された実願昭４７−１２８０５８号（実開昭４９−８３５８０号）のマイクロフィルム（以下「引用例１」という。）には、図面と共に次の事項が記載されている。
（ア）　「端子の一端電線挿入口に電線の導体部を挿入して圧着接続する圧着端子において、圧着端子１の内面の圧着部分２から３に導体挿入口４方向にむかって開いたテーパ部を形成しそのテーパ部に凹凸を形成したことを特徴とする圧着端子。」（実用新案登録請求の範囲）
（イ）　「以下図に於いて本考案の実施例を説明する。
　図は本考案による圧着端子の要部断面図を示す。図に於いて圧着端子１の圧着部の内面２から３は導体５を挿入する挿入口４方向ヘテーパ状に開いた円錐状をなし、内面に数個のネジ山が切られている。外部からＰなる力で端子１の圧着部を圧縮すると圧縮量が小さい間は内径の小さい部分のネジ山が導体５に喰込み、圧縮量が大きくなると圧着部の内面２から３は更に内径の大きいネジ山のある部分に移行して喰込む。したがって圧縮量が小さい場合、内径の小さい部分のネジ山で導体５は圧着され、また圧縮量が大きい場合でも内径の大きい部分のネジ山によって圧着されて細線と端子との接続を確実に且容易に行なうことが出来る。
　以上説明した如く本考案による圧着端子を使用して圧着接続すると、広範囲の圧縮量により圧着工具の管理を容易にし、最高の接続強さを保持して安定した接続が得られる効果を生じる。」（明細書２ページ６行−同３ページ３行）
（ウ）　図
「
　　　　　　　　　　　　　　　　　　　　　　　　　　　　」
（エ）　図には、圧着端子１に電線を挿入した圧着接続前の状態を示す断面図が示されており、当該図の記載内容から電線の導体５の端末が挿入口４に挿入されていることが看てとれる。
（オ）　これらの事項を総合すると、引用例１には次の発明（以下「引用発明」という。）が記載されていると認めることができる。
　
「一端に挿入口を有する内面形状が円錐状をなし前記挿入口に電線の導体が挿入され圧着接続される圧着部を備え、
　前記圧着部は、
導体に喰込む数個のネジ山が内面に切られており、
　圧縮量が小さい場合、内径の小さい部分のネジ山で導体は圧着され、また圧縮量が大きい場合でも内径の大きい部分のネジ山によって圧着されて細線と端子との接続を確実に且容易に行なうことが出来る
　圧着端子。」
　
イ　本願の出願前に日本国内又は外国において頒布され、原査定の拒絶の理由に引用された実願昭４６−２８２９号（実開昭４７−２４８８号）のマイクロフィルム（以下、「引用例２」という。）には、図面と共に次の事項が記載されている。
（カ）　「偏平部とシリンダー部とより成る銅の端子片において該シリンダー部の胴周部分の随意個所に任意個数の歯止め孔を設けアルミ線の端を上記シリンダー部に挿通して上記シリンダー部諸共圧潰縮締することを特徴とするアルミ線用圧着端子部。」（実用新案登録請求の範囲）
　
（キ）「以下図について此れを説明すれば、１は銅の端子片で偏平座部Ｂと壜状部（シリンダー部）Ｃとよりなり、このシリンダー部Ｃには本考案においては、その胴周部分の随意個所に任意の歯止め孔Ｈを形成したことを特徴とするもので、ＣＡ線２の端をＣ部に挿通した上で適宜の縮締圧潰工具を用いてＣ部をＣＡ線諸共圧潰するものである。かくすればＣＡ線の表層部は上記歯止め孔Ｈ内にはみ出し、入り込んで隆起ロツク部分ｈが多数形成される。むろんＣＡ線端はＣ部の口端からもはみ出すことはあるとしても、Ｈ孔に向つてはみ出し易いことと、この結果生ずるロツク部分ｈによる歯止め効果によつてＣ部の口端へのはみ出しは抑制されることは自明であり、同時にＣ部内におけるＣＡ線の圧潰縮締に対する反力も増強されることになる。このようにして本案によればＣＡ線端は右にも左にも移動し得ない形となり、また接触状態は良好に改善され、且つ長期の使用においても相互結着状態に弛緩を生ずることなき効果がある。尚、孔Ｈはテーパー状でなくともよろしく、また貫通孔とも限らない。」（明細書２ページ１２行−同３ページ１２行）
（ク）　第１図及び第２図
「
　　　　　　　　　　　　　　　　　　　　　　　　　　　　」
（ケ）　第１図はＣＡ線２端に銅の圧着端子片１を取付けた構造を示し、第２図は端子部の縦断面を示しており、特に、符号「Ｈ」の引き出し線が、シリンダー部Ｃの上下及び側部に延びていることに着目すると、第１図及び第２図の記載内容から、シリンダー部Ｃの胴周部分の随意個所として軸方向及び周方向に丸い歯止め孔Ｈが複数個所に形成されていることが看てとれる。
（コ）　これらの事項を総合すると、引用例２には次の技術的事項（以下「引用例２記載事項」という。）が記載されていると認めることができる。
　
　「ＣＡ線諸共圧潰する圧着端子部のシリンダー部Ｃは、その胴周部分に貫通孔の丸い歯止め孔Ｈを有し、
　Ｃ部をＣＡ線諸共圧潰すれば、ＣＡ線の表層部は歯止め孔Ｈ内にはみ出し、入り込んで隆起ロツク部分ｈが多数形成され、
　歯止め孔Ｈは、シリンダー部Ｃの胴周部分の随意個所として軸方向及び周方向の複数個所に形成される圧着端子部。」
ウ　本願の出願前に日本国内又は外国において頒布された特開平４−１６０７７０号公報（以下、「引用例３」という。）には、図面と共に次の事項が記載されている。
（サ）　「導線を圧着接続する圧着端子において、その導線挿入孔の内壁面に、これに対して垂直方向の複数の凹孔を、該導線挿入孔の軸方向に沿って形成したことを特徴とする圧着端子。」（２．特許請求の範囲）
（シ）　「第１図及び第２図は本発明の一実施例を示す。
　同図において、１は円形の導線挿入孔２が形成された例えばりん青銅から成るコネクタのピンコンタクトの圧着端子で、これは断面円形をなし、その直径上に導線挿入孔２を通る該孔２の径より僅かに小さい円形の貫通孔３が圧着端子１の導線挿入孔２の軸方向に沿って２個所に形成されている。
　この圧着端子の導線挿入孔２に、第３図及び第５図に示すように、例えば軟銅線単線から成る導線４を挿入し、型で上下方向から圧着端子１に圧力を加えると、圧着端子１と導線４は、第６図に示すように変形して圧着端子１は導線４に圧着し、貫通孔３と導線挿入孔２とが交叉することにより形成される角部５は、第７図示のように、導線４に食い込み、導線４の貫通孔３対応部は貫通孔３内に侵入する。かくして、導線４は、２つの貫通孔３の間では２つの貫通孔侵入部によって内部応力を発生し、圧着端子１と導線４の材料の相違に基づく線膨張係数の違いにより、環境の変化で圧着端子１と導線４との間に隙間が発生しようとするとき、前記内部応力で導線４は圧着端子１の伸縮に追従するため、圧着端子１と導線４との間に隙間が生じない。また前記角部５は導線挿入孔２の上下にできこれが圧着端子に上下方向から圧力を加えたときに導線４に食い込むので、圧着端子１及び導線４に酸化皮膜があった場合、これを破ることができる。」（２ページ右上欄７行−左下欄１５行）
（ス）　第１図−第７図
「
　　　　　　　　　　　　　　　　　　　　　　　　　　　」
（セ）　上記「（シ）」の記載を参照すると、上記「（ス）」の第１図−第７図の記載内容から、「貫通孔３は、圧着端子１の周方向に沿って２つ、すなわち複数で、かつ、導線４の延在方向と直交する方向に対して互いに対向する部分にそれぞれ、第２図において左右の２箇所、すなわち複数形成されていること」が看てとれる。
（ソ）　これらの事項を総合すると、引用例３には次の技術的事項（以下「引用例３記載事項」という。）が記載されていると認めることができる。
　
「導線４に圧着する圧着端子１が、圧着端子１を貫通する円形の貫通孔３を有し、貫通孔３は、圧着端子１の周方向に沿って複数で、かつ、導線４の延在方向と直交する方向に対して互いに対向する部分にそれぞれ複数形成されること。」
エ　本願の出願前に日本国内又は外国において頒布された特開平７−１５３５０２号公報（以下、「引用例４」という。）には、図面と共に次の事項が記載されている。
（タ）　「【０００５】図11は、完全に組立てられて圧着された従来例の端子の斜視図である。図12は、図11の端子の圧着前の分解斜視図である。図11及び図12を参照すると、従来例の腐蝕防止用に封止された端子11は、インサートスリーブ４を受容する為の開口端３を有する中空のバレル２を含む。インサートスリーブ４は、スリットが設けられており複数の穴５を有する。傾斜のついた挿入リング６は、インサートスリーブ４の後部でバレル２に受容され、ケーブルＣのワイヤの撚り線７（導体）の挿入或いは導入を容易にしている。端子１は更に平坦な舌片８を有し、舌片８には取付用の孔９が穿設されている。端子１は無垢の銅から作られるのが望ましいが、アルミニウムから製造して銅、錫、銀めっき等をしてもよい。ケーブルＣは湿気を通さない絶縁性の外被を有し、必要ならば、この外被は耐摩耗性の外被によって更に覆われてもよい。
【０００６】これらの部品が組立てられた後、図11に示す如く端子１は圧着されワイヤの撚り線７を保持する。圧着過程では、前述の米国特許第3,955,044 号公報の中で説明した如く、ワイヤの撚り線７はインサートスリーブ４の穴５を通って押し出される。
【０００７】図11及び図12に示す如く、単一のケーブルＣの撚り線７を成端する以外にも、２本の個別のケーブルの各撚り線７間を突き合せ接続（スプライス）してもよい。それ故、本発明では”端子”と「スプライス」という用語は互換性のある同じ用語として使用する。
【０００８】意図した目的を十分達成する一方で、限度的な用途に於いては、インサートスリーブは圧着前にワイヤの撚りによって回転を起こしやすい。これによって圧着工程中に端子に亀裂が生じることがある。
【０００９】従って、本発明の目的は従来技術、特に圧着過程に於いて端子の回転によりある条件下で位置ずれすることによる端子の亀裂を減少させることである。」
（チ）　【図１２】
「
　　　　　　　　　　　　　　　　　　　　　　　　　　　　」
（ツ）　【図１２】の記載内容から、インサートスリーブ４を貫通する丸い穴５が、インサートスリーブ４の周方向に沿って複数で、かつ、ケーブルＣの延在方向と直交する方向に対して互いに対向する部分にそれぞれ複数形成されることが看てとれる。
（テ）　これらの事項を総合すると、引用例４には次の技術的事項（以下「引用例４記載事項」という。）が記載されていると認めることができる。
　
「ケーブルＣの撚り線７に圧着するインサートスリーブ４が、インサートスリーブ４を貫通する丸い穴５を有し、穴５は、インサートスリーブ４の周方向に沿って複数で、かつ、ケーブルＣの延在方向と直交する方向に対して互いに対向する部分にそれぞれ複数形成されること。」
（４）　対比
　本願補正発明と引用発明とを対比する。
　用語の意味・内容や技術的意義からして、引用発明の「挿入口」は本願補正発明の「開口」に相当し、以下同様に、引用発明の「内面形状が円錐状をなし」た態様は、本願補正発明の「筒状に形成され」た態様に、引用発明の「挿入口に電線の導体が挿入され」た態様は、本願補正発明の「開口側から電線の導体の端末が挿入され」た態様に、引用発明の「圧着接続される」態様は、本願補正発明の「圧着される」態様に、引用発明の「圧着部」は、本願補正発明の「導体圧着部」に、引用発明の「圧着端子」は、本願補正発明の「端子金具」に、それぞれ相当する。
　また、本願補正発明の「導体圧着部は、当該導体圧着部の内外面を貫通する貫通丸孔部を有し、前記貫通丸孔部は、前記導体圧着部の周方向に沿って複数で、かつ、前記電線の延在方向と直交する方向に対して互いに対向する部分にそれぞれ複数形成される」態様と、引用発明の「圧着部は、導体に喰込む数個のネジ山が内面に切られており、圧縮量が小さい場合、内径の小さい部分のネジ山で導体は圧着され、また圧縮量が大きい場合でも内径の大きい部分のネジ山によって圧着されて細線と端子との接続を確実に且容易に行なうことが出来る」態様とは、本願の明細書の段落【００２２】の「そして、端子金具付き電線１は、導体圧着部３１において、圧着本体部３４に形成されるエッジ部３５を構成する各貫通丸孔部３８が、当該導体圧着部３１に圧着された導体２１に引っ掛かり食い込むことで、導体２１が導体圧着部３１から抜けにくくすることができ、端子金具３と電線２との保持力を向上することができる。そしてさらに、端子金具付き電線１は、導体圧着部３１において、例えば、エッジ部３５を構成する各貫通丸孔部３８の角部によって導体２１の表面の酸化皮膜が破られ、あるいは削り取られることで、導体２１の導電面（新生面）が導体圧着部３１に極めて低い電気抵抗で接触し、端子金具３と導体２１とが接触導通する。これにより、端子金具付き電線１は、端子金具３と導体２１との接触抵抗を安定させることができ、導通性能を向上することができる。また、端子金具付き電線１は、端子金具３と導体２１とがエッジ部３５を構成する各貫通丸孔部３８を介して接触することで接触面積が増大するので、この点でも電気抵抗を低減し、接触抵抗を安定させることができ、導通性能を向上することができる。」との記載内容からして、本願補正発明の「貫通丸孔部」が少なくとも導体に食い込むものであることからすると、「導体圧着部は、導体に食い込む部位が複数形成される」態様の限りにおいて一致している。
　したがって、両者は、
「一端に開口を有する筒状に形成され前記開口側から電線の導体の端末が挿入され圧着される導体圧着部を備え、
　前記導体圧着部は、導体に食い込む部位が複数形成される、
　端子金具。」
の点で一致し、以下の点で相違している。
　
＜相違点＞
　「導体圧着部は、導体に食い込む部位が複数形成される」態様に関し、本願補正発明では、「導体圧着部は、当該導体圧着部の内外面を貫通する貫通丸孔部を有し、前記貫通丸孔部は、前記導体圧着部の周方向に沿って複数で、かつ、前記電線の延在方向と直交する方向に対して互いに対向する部分にそれぞれ複数形成される」ものであるのに対して、引用発明では、「圧着部は、導体に喰込む数個のネジ山が内面に切られており、圧縮量が小さい場合、内径の小さい部分のネジ山で導体は圧着され、また圧縮量が大きい場合でも内径の大きい部分のネジ山によって圧着されて細線と端子との接続を確実に且容易に行なうことが出来る」ものである点。
（５）判断
　上記＜相違点＞について検討する。
　引用例２記載事項の「ＣＡ線」は「導体」といえるし、同様に、「シリンダー部Ｃ」は「導体圧着部」といえるし、「シリンダー部Ｃは、その胴周部分に貫通孔の丸い歯止め孔Ｈを有」することは「導体圧着部の内外面を貫通する貫通丸孔部を有」するといえるし、「歯止め孔Ｈは、シリンダー部Ｃの胴周部分の随意個所として軸方向及び周方向の複数個所に形成される」ことは「貫通丸孔部は、導体圧着部の軸方向及び周方向に沿って複数形成される」といえる。そして、引用例２記載事項の「歯止め孔Ｈは、シリンダー部Ｃの胴周部分の随意個所として軸方向及び周方向の複数個所に形成される」ことと「Ｃ部をＣＡ線諸共圧潰すれば、ＣＡ線の表層部は歯止め孔Ｈ内にはみ出し、入り込んで隆起ロツク部分ｈが多数形成され」ることとを併せると、それらは結局、「導体圧着部は、導体に食い込む部位が複数形成される」ことといえる。
　そして、引用発明の「圧着部は、内面に導体に喰込む数個のネジ山が切られている」ことは、導体に喰込む数個のネジ山が圧着部の周方向に沿って連続して設けられているといえ、また、数ピッチのネジ山を設けることや、いわゆる多条ネジを設けることを示唆するといえる。さらに、「内面形状が円錐状をなし」た引用発明において、「圧着部は、導体に喰込む数個のネジ山が内面に切られており、圧縮量が小さい場合、内径の小さい部分のネジ山で導体は圧着され、また圧縮量が大きい場合でも内径の大きい部分のネジ山によって圧着されて細線と端子との接続を確実に且容易に行なうことが出来る」のであるから、引用発明は、内径の小さい部分と大きい部分とに亘ってネジ山が設けられるといえる。
　また、引用例３記載事項の「圧着端子１」及び引用例４記載事項の「インサートスリーブ４」は、それぞれ「導体を圧着する部材」といえるし、引用例３記載事項の「導線４」及び引用例４記載事項の「ケーブルＣ」は、それぞれ「電線」といえる。そして、引用例３記載事項の「円形の貫通孔３」及び引用例４記載事項の「貫通する丸い穴５」は、それぞれ「導体を圧着する部材の内外面を貫通する貫通丸孔部」といえる。そうすると、引用例３記載事項及び引用例４記載事項からすれば、「導体を圧着する部材が、当該導体を圧着する部材の内外面を貫通する貫通丸孔部を有し、前記貫通丸孔部は、前記導体圧着部の周方向に沿って複数で、かつ、前記電線の延在方向と直交する方向に対して互いに対向する部分にそれぞれ複数形成されること」は、本願出願前周知の技術的事項といえる。
　そうすると、上記周知の技術的事項も考慮すれば、引用発明の導体に食い込む部位である「ネジ山」に替えて、引用例２記載事項の導体に食い込む部位である「貫通孔の丸い歯止め孔Ｈ」とし、引用発明の「導体圧着部は、導体に食い込む部位が複数形成される」態様の、導体に喰込む数ピッチあるいは多条のネジ山が圧着部の周方向に沿って連続して設けられ、内径の小さい部分と大きい部分とに亘ってネジ山が設けられるといえる態様として、引用例２記載事項の「ＣＡ線諸共圧潰する圧着端子部のシリンダー部Ｃは、その胴周部分に貫通孔の丸い歯止め孔Ｈを有し」「歯止め孔Ｈは、シリンダー部Ｃの胴周部分の随意個所として軸方向及び周方向の複数個所に形成される」態様とすることで、すなわち、「導体圧着部の内外面を貫通する貫通丸孔部を有し、貫通丸孔部は、導体圧着部の軸方向及び周方向に沿って複数形成される」といえる態様とすることで、引用発明をして本願補正発明の上記相違点に係る構成とすることは、当業者が容易に想到し得たことといえる。
　そして、本願補正発明の効果は、本願の明細書の記載（審判請求書にて引用されている記載を含む）をみても、当業者にとって格別予想外であるとはいえず、引用発明並びに上記引用例２記載事項及び上記周知の技術的事項から予測し得る程度のものと認められる。
　よって、本願補正発明は、引用発明並びに上記引用例２記載事項及び上記周知の技術的事項に基いて、当業者が容易に発明をすることができたものであるから、特許法第２９条第２項の規定により特許出願の際独立して特許を受けることができないものである。
　なお、平成３０年９月２７日に提出された上申書の内容を検討したが、この（５）の判断を左右するものではない。
（６）　むすび
　以上のとおりであって、本件補正は、特許法第１７条の２第６項において準用する同法第１２６条第７項の規定に違反するので、同法第１５９条第１項の規定において読み替えて準用する同法第５３条第１項の規定により却下すべきものである。
　
３　本願発明について
（１）　本願発明
　本件補正は上記のとおり却下されたので、本願の請求項１に係る発明（以下、同項に係る発明を「本願発明」という。）は、平成３０年４月２３日の手続補正書により補正された特許請求の範囲の請求項１の記載からすると、以下のとおりのものと認められる。
　
「一端に開口を有する筒状に形成され前記開口側から電線の導体の端末が挿入され圧着される導体圧着部を備え、
　前記導体圧着部は、当該導体圧着部の内外面を貫通する貫通丸孔部を有し、
　前記貫通丸孔部は、前記導体圧着部の周方向に沿って複数形成されることを特徴とする、
　端子金具。」
　
（２）　原査定の拒絶の理由
　原査定の拒絶の理由は、本願発明は、本願の出願前に頒布された又は電気通信回線を通じて公衆に利用可能となった引用例１に記載された発明及び引用例２に記載された事項に基いて、その出願前にその発明の属する技術の分野における通常の知識を有する者が容易に発明をすることができたものであるから、特許法２９条２項の規定により特許を受けることができない、というものである。
引用例１：実願昭４７−１２８０５８号（実開昭４９−８３５８０号）のマイクロフィルム
引用例２：実願昭４６−２８２９号（実開昭４７−２４８８号）のマイクロフィルム
（３）　引用例
　原査定の拒絶の理由に引用された引用例１ないし２の記載事項並びに引用発明及び引用例２記載事項は、上記「２（３）ア、イ」のとおりである。
　
（４）　対比
　本願発明は、前記「２」で検討した本願補正発明における「貫通丸孔部」について、それが「電線の延在方向と直交する方向に対して互いに対向する部分にそれぞれ複数形成される」ものであると特定していた点を削除したものに実質的に相当する。そうすると、本願補正発明は本願発明の構成をすべて備えるから、前記「２　（４）」にて検討したことからすれば、本願発明と引用発明とは、
「一端に開口を有する筒状に形成され前記開口側から電線の導体の端末が挿入され圧着される導体圧着部を備え、
　前記導体圧着部は、導体に食い込むものが複数形成される、
　端子金具。」
の点で一致し、以下の点で相違している。
　
＜相違点’＞
　「導体圧着部は、導体に食い込むものが複数形成される」態様に関し、本願発明では、「導体圧着部は、当該導体圧着部の内外面を貫通する貫通丸孔部を有し、前記貫通丸孔部は、前記導体圧着部の周方向に沿って複数形成される」ものであるのに対して、引用発明では、「圧着部は、導体に喰込む数個のネジ山が内面に切られており、圧縮量が小さい場合、内径の小さい部分のネジ山で導体は圧着され、また圧縮量が大きい場合でも内径の大きい部分のネジ山によって圧着されて細線と端子との接続を確実に且容易に行なうことが出来る」ものである点。
（５）判断
　上記＜相違点’＞について検討する。
　引用例２記載事項の「ＣＡ線」は「導体」といえるし、同様に、「シリンダー部Ｃ」は「導体圧着部」といえるし、「シリンダー部Ｃは、その胴周部分に貫通孔の丸い歯止め孔Ｈを有」することは「導体圧着部の内外面を貫通する貫通丸孔部を有」するといえるし、「歯止め孔Ｈは、シリンダー部Ｃの胴周部分の随意個所として軸方向及び周方向の複数個所に形成される」ことは「貫通丸孔部は、導体圧着部の軸方向及び周方向に沿って複数形成される」といえる。そして、引用例２記載事項の「歯止め孔Ｈは、シリンダー部Ｃの胴周部分の随意個所として軸方向及び周方向に複数形成される」ことと「Ｃ部をＣＡ線諸共圧潰すれば、ＣＡ線の表層部は歯止め孔Ｈ内にはみ出し、入り込んで隆起ロツク部分ｈが多数形成され」ることとを併せると、それらは結局、「導体圧着部は、導体に食い込む部位が複数形成される」ことといえる。
　そして、引用発明の「圧着部は、内面に導体に喰込む数個のネジ山が切られている」ことは、導体に喰込む数個のネジ山が圧着部の周方向に沿って連続して設けられているといえる。
　そうすると、引用発明の導体に食い込む部位である「ネジ山」に替えて、引用例２記載事項の導体に食い込む部位である「貫通孔の丸い歯止め孔Ｈ」とすることで、引用発明の「導体圧着部は、導体に食い込む部位が複数形成される」態様である、導体に喰込む数個のネジ山が圧着部の周方向に沿って連続して設けられている態様として、引用例２記載事項の「ＣＡ線諸共圧潰する圧着端子部のシリンダー部Ｃは、その胴周部分に貫通孔の丸い歯止め孔Ｈを有し」「歯止め孔Ｈは、シリンダー部Ｃの胴周部分の随意個所として軸方向及び周方向の複数個所に形成される」態様とすること、すなわち、「導体圧着部の内外面を貫通する貫通丸孔部を有し、貫通丸孔部は、導体圧着部の軸方向及び周方向に沿って複数形成される」といえる態様とすることは、当業者が容易に想到し得たことである。
　そして、本願発明の効果は、本願の明細書の記載をみても、当業者にとって格別予想外であるとはいえず、引用発明及び上記引用例２記載事項から予測し得る程度のものと認められる。
　よって、本願発明は、引用発明及び上記引用例２記載事項に基いて、当業者が容易に発明をすることができたものである。
　
（６）　むすび
　以上のとおり、本願発明は、特許法第２９条第２項の規定により特許を受けることができないため、本願は同法第４９条第２号の規定に該当し、本願の他の請求項２ないし３に係る発明について検討するまでもなく、拒絶をされるべきものである。
　よって、結論のとおり審決する。